(57)【要約】      （修正有）【課題】全ての要素が協調して動作し、運動及び繰り返し動作を行う際の安定性、保持性、身体協調性の向上が図られる一体型垂直ステッパーを提供する。【解決手段】１２０ｋｇまで支持し、頂部が連結体２で互いに連結された２個の平行な長方形状体１によって一体化された主垂直構造体と、垂直長方形状体９と、水平に配置され、当該一体型垂直ステッパーの前側基部を構成し、前記平行な長方形状体１の底部に取り付けられた屈曲管体１８と、水平に配置され、当該一体型垂直ステッパーの後側基部を構成し、前記平行な長方形状体１の底部に取り付けられた屈曲管体１１と、機械システムと、ペダルシステムとを備える。さらに、機械システムは、設計及び機能的特徴の観点からシンプルであり、構成部品は、例えば、樹脂層で被覆された金属ワイヤー、プーリー、２個の平行な長方形状体、ハンドルとして使用される２個の四角形状体、２本のレール及び３個のホイールなどであり、好適な機能が発揮できるように設計される。【選択図】図１
0003206889.tif 000002
【実用新案登録請求の範囲】
【請求項１】
技術的特徴が機械システムによってもたらされる一体型垂直ステッパーであって、
前記機械システムは、
ａ）樹脂層で被覆され、使用者の体重を支持する金属ワイヤー（２０）と、
ｂ）直径が９．５ｍｍ乃至１０．２ｍｍであって、ポリアミド（ＰＡ）素材からなり、当該機械システムに技術的利点をもたらし、当該一体化垂直ステッパーの部品を上昇下降運動させる金属ワイヤーと、
ｃ）２個の平行な長方形状体に対して自由に移動するペダルシステムと、
ｄ）使用者と接触する複数のハンドル支持体に沿って前記ペダルシステムを結合され、これにより、運動を行う際に、適切な人間工学的な姿勢において、望ましい協調性のある移動が可能となる２本の平行ポールと、
ｅ）手で保持した使用者が安全に保持される２個のハンドル支持体と、
ｆ）強固であり、仕上げ加工と素材の固有の特性によって、摩耗が予防されている２本のレールと、
ｇ）前記２本の垂直なポールを前記レールに対して平行な状態に維持し、同時に一定の移動を可能にする３個のホイールと、
ｈ）当該一体型垂直ステッパーが適切な動きを行うように必要な保持を行う構造体とを備え、
当該一体化垂直ステッパーとその機械システムは、従属して作動し、全ての部品が協働し、
樹脂層で被覆された金属ワイヤーは、その両端がそれぞれ前記ペダルシステムに固定され、ポリアミド（ＰＡ）からなり直径が９．５ｍｍ乃至１０．２ｍｍのプーリーに掛り、前記ペダルシステムに力が作用したとき、前記ワイヤー及び前記プーリーに張力が作用し、これら要素間に生じた摩擦によって均等に動き始め、これにより、前記ハンドル支持体及び前記ペダルシステムに従属した上昇下降運動の変更が生じる一体型垂直ステッパー。
【請求項２】
請求項１に記載の一体型垂直ステッパーであって、
全ての構成部品に一定で協調性を有し従属した上昇下降運動が生じ、運動及び繰り返し動作をする際に安定性、保持性及び身体協調性の向上が図られ、
前記運動は、前記ペダルシステムにおいて生じた力の方向が変化し、前記ペダルシステムは前記樹脂層で被覆された金属ワイヤーの各端に固定され、前記機械システムを構成する部品が正確に配置されていることにより、前記２本のレール上を前記ペダルシステムが自由に移動可能である一体型垂直ステッパー。
【請求項３】
請求項１に記載の一体型垂直ステッパーであって、
一定で協調性を有する上昇下降運動を生じ、常時、左右対称に配置された前記ペダルホイールに従属して運動し、
前記ペダルシステムは、
射出された樹脂からなり、滑らない表面となるように高く盛り上がった模様を有するペダルと、使用者の体重及びポリアミド（ＰＡ）からなる３個のホイールを保持するように設計され、鋼鉄からなるペダルベースとを備え、適切な変位が十分にもたらされ、前記ホイールは、前記レールの端部間に嵌り込むように設計されて、前記レールを抱き抱える二等辺三角形状に配置され、他のホイールによって前記四角形状体を抱き抱えるように補助し、これにより、運動及び繰り返し動作を行う際の上昇下降運動に影響を及ぼすような脱線及び振動を防ぐ一体型垂直ステッパー。 
【請求項４】
請求項１に記載の一体型垂直ステッパーであって、
製造する際の素材の適切な選択及び設計に基づいて技術的特徴を有する金属構造体を備え、
前記金属構造体は、特に、鋼鉄体からなり、その金属耐性が当該ステッパーが動作する際の基本的な技術特徴であり、合計重量が１５ｋｇの当該一体型垂直ステッパーと比例して１１０ｋｇ乃至１２０ｋｇの重量を支持するのに十分であり、
当該ステッパーは、太陽、寒さ、湿気などの気候要因及び日常使用による摩耗を防ぐために、静電塗装仕上げされており、
つまり、設計上の観点から、前記前側基部及び前記後側基部が適切に配置されることにより、当該ステッパーは支持されており、運動及び繰り返し動作を行う際に事故又は落下が起きないように、前記構造体に固定された関節式アームの移動距離によって、常に、１５度乃至１６度の所望の角度に当該ステッパーが支持される一体型垂直ステッパー。
【請求項５】
請求項１又は４に記載の一体型垂直ステッパーの前記機械システムを保持する構造体であって、
前記請求項に記載された技術的特徴に加えて、機能調整の特徴を有し、
当該構造体は、折り畳み、及びいくつかの機能要素の回転が可能であり、前記垂直長方形状体が９０度となり、その占める面積と空間を通常の場合と比較してかなり削減でき、
前記技術的特徴は、２個の四角形状体を一緒にして伸縮式の安全な機構とし、回転軸状に配置し、当該構造体を収容する前記２本のレール間の凹状の表面上に位置させることにより、前記一体型垂直ステッパーの持ち運び、移動及び収容が容易になる一体型垂直ステッパー。
【考案の詳細な説明】
【技術分野】
【０００１】
スポーツ（フィットネス）
【背景技術】
【０００２】
専門家及びプロフェッショナル選手の手助けを必要とせずに、繰り返し動作することにより、運動を行い、身体状態の向上を図る多数の装置が知られている。今日、垂直ステッパーには、様々な機種が存在するが、これらは全てチェーン、ばね、及びプーリーからなる従属又は独立した様々なシステムによって一体化された種々の機構を備えている。
【０００３】
このような機械システムによる運動では、上昇下降、安定性、保持性、ましては個々人の身体状態が一様にならないので、身体運動を一定にできないことがあり、運動時に使用者が危険及び不安を感じるので、このような装置を使用しようとする興味及び信頼性がすぐに失われる。
【０００４】
一体型垂直ステッパーは、前述した課題を解決して十分に満足させるものであり、誰が使用した場合でもペダルシステムに十分な力が生じるよう、プーリーと接触したときに適切な摩擦力が発生するように、樹脂層で被覆された金属ワイヤーから構成される機械システムを、構成要素に一体化したという技術的特徴を有する。２本の垂直ポール及び２個のハンドルが、２本のレールでガイドされ、２個のホイールによって移動され非独立的に動作することにより、当該ステッパーに一定の上昇下降運動が生まれ、運動時における安定性、支持性及び身体協調がもたらされる。
【０００５】
そのため、一体型垂直ステッパーを設計する際は、技術的な効果が奏されるように、適切な素材及び仕上げを用いて製造するように構想すべきである。
【０００６】
本明細書を補足するため、及び、本考案の技術的特徴をより理解するために、 本明細書と一体化して本考案を図示した図面を伴うが、本考案は図示したものに限定されない。
【考案の概要】
【０００７】
本考案は、一体型垂直ステッパーに関し、特に、健康及びスポーツ活動に必要な身体的能力及び技能を向上させるために使用することができ、プーリー、ワイヤー、２本のレール、ペダルシステム、９個のホイール、２本の垂直ポール及び４個のハンドルを備え、開けたとき、これら全ては三角形状の金属構造体により支持され、機構が一様に動作する一体型垂直ステッパーに関する。当該ステッパーは、運動時における安定性、保持性、身体協調をもたらす。
【図面の簡単な説明】
【０００８】
【図１】図１は、一体型垂直ステッパーの展開図を示し、本考案の全ての構成部品、合計３０部品を表し、さらなる理解のために図１ａ、図１ｂ及び図１ｃに細分される。
【図１ａ】図１ａは、本考案の技術的特徴がさらに把握され理解できるよう、一体型垂直ステッパーを頂部から底部にかけて３等分して一番上に現れる要素を示す。
【図１ｂ】図１ｂは、本考案の技術的特徴がさらに把握され理解できるよう、一体型垂直ステッパーを頂部から底部にかけて３等分して真ん中に現れる要素を示す。
【図１ｃ】図１ｃは、本考案の技術的特徴がさらに把握され理解できるよう、一体型垂直ステッパーを頂部から底部にかけて３等分して一番下に現れる要素を示す。
【図２】図２は、一体型垂直ステッパーを前方から見た斜視図であり、本考案のうち２５部品を表し、左右対称であることを考慮に入れて見ればよい。
【図３】図３は、一体型垂直ステッパーを後方から見た斜視図であり、本考案のうち３９部品を表し、左右対称であることを考慮に入れて見ればよい。
【図４】図４は、一体型垂直ステッパーを前方から見た詳細な斜視図であり、多くの部品を拡大して図示し、４Ａ及び４Ｂに分れる。４Ａは、一体型垂直ステッパーの第２の部分を構成する１２個の部品を前方から図示したものであり、図１ｂで既に図示した箇所と同じ箇所を表す。４Ｂは、一体型垂直ステッパーの第３の部分を構成する１２個の部品を前方から図示したものであり、図１ｂで既に図示した箇所と同じ箇所を表す。
【図５】図５は、一体型垂直ステッパーを後方から見た詳細な斜視図であり、多くの部品を拡大して図示し、５Ａ及び５Ｂに分れる。５Ａは、一体型垂直ステッパーの第２の部分を構成する１６個の部品を後方から図示したものであり、図１ｂで既に図示した箇所と同じ箇所を表す。５Ｂは、一体型垂直ステッパーの第３の部分を構成する１４個の部品を前方から図示したものであり、図１ｃで既に図示した箇所と同じ箇所を表す。
【図６】図６は、一体型垂直ステッパーのペダルシステムの拡大図であり、本考案の技術的特徴を理解するために重要となる、本システムに一体化した全ての部品が適切に配置されている様子を示す。
【図７】図７は、一体型垂直ステッパーのプーリーシステムの拡大図であり、本考案の技術的特徴を理解するために重要となる、本システムに一体化した全ての部品が適切に配置されている様子を示す。
【図８】図８は、一体型垂直ステッパーの左側面図であり、２つの異なった状態に置かれた様子を表す。
【考案を実施するための形態】
【０００９】
このような特徴に照らして、一体型垂直ステッパーの態様は、多くの部品が取り付けられた主垂直構造体によって構成されている。主垂直構造体は、頂部が連結体（２）によって互いに連結され、レールとして機能する２個の平行な長方形状体（１）を備える。連結体（２）は、溶接され、３個のホイール（３）を収容するように設計されている。３個のホイール（３）は、スクリューによって固定され、ガイドとして機能する。連結体の頂面を介して２本の平行なポール（４）が移動することにより、上昇下降運動が可能となる。さらに、これら２個の長方形状体（１）は、その底部において、各底面にそれぞれ溶接された凹状部品により互いに連結されている。連結体（２）の後面には、その上部端に水平な溝状部材（５）が溶接されており、これに２個のハンドル・ブラケット（６）が組み付けられている。その各側部には、これらを把持する使用者が快適となるように保護具（７）が設けられている。そして、連結体（２）の同じ後面には、連結体（２）に溶接されたＬ字状延長材（８）が見受けられる。これは、関節アームとして機能する垂直長方形状体（９）を保持し、その頂部には、スクリューによってＬ字状延長材に取り付けられたオーガ−を収容する小さな管状ロッドが溶接されている。管状ロッドは、回転軸であり、これにより、垂直長方形状体（９）は自由に移動可能となる。垂直長方形状体（９）は、一体型垂直ステッパーの適切な傾斜をもたらす頂部（１０）を有する。これにより、適切な姿勢で運動を行うことができる.
垂直長方形状体（９）は、その底部に、凹状の表面に寄りかかり、水平に置かれた屈曲管体（１１）がスクリューによって固定されている。屈曲管体（１１）は、一体型垂直ステッパーの後部基部であり、その各側面には樹脂製の水平化部材(leverer)（１２）が連結されている。これにより、一体型垂直ステッパーはどのような面に置いても安定性が維持される。
【００１０】
凹状の表面の上の垂直長方形状体（９）に前側面には、複数の三角形状面を有するＣ字状部材（１３）が溶接されており、安全装置として機能する仕上げロッド(turned rod)によってその中央を四角形状体（１４）が通過するように取り付けられている。Ｃ字状部材（１３）は、その端部では直径が大きく、他端にはばねを備えた球体を含む。これにより、一体型垂直ステッパーは、安全性が確実に向上され、１００％安全な装置となる。
【００１１】
四角形状体（１４）は、他の四角形状体（１６）内に完全に収められており、下側の面には、スクリューによって取り付けられた円形ロッド（１７）が溶接されている。これにより、平行な長方形状体（１）との統一が達成される。
【００１２】
すなわち、四角形状体（１４）と四角形状体（１６）とを組み合せて伸長式ロッドを形成し、その水平方向の長さが最大で、複数の三角形状面を有するＣ字状部材（１３）と連結したとき、一体型垂直ステッパーが位置すべき、正しい位置且つ適切な角度になる。逆に、四角形状体（１４）と四角形状体（１６）が、直立位置において、その水平方向の長さが最小なときは、ステッパーは折り畳まれ、その占める面積が小さくなるので、狭い場所に置く又は保管することが可能となり、邪魔にならない。これらの特徴によって、狭い場所でも、機能を発揮させて使用することができるので、魅力的である。
【００１３】
上述した技術において、これらの下側の側面にそれぞれ凹状部材が溶接されており、これに水平に置かれる屈曲管体（１８）がスクリューによって固定されている。屈曲管体（１８）は、一体型垂直ステッパーの前側基部を構成し、その各側面には樹脂製の水平化部材（１２）が取り付けられている。この部材は、一体型垂直ステッパーの後部基部を構成する水平に置かれる屈曲管体（１１）と共に安定性を確保し、一体型垂直ステッパーがどのような面に置かれても正しい位置を維持する。
【００１４】
本考案の一体型垂直ステッパーを構成する機械システムについてさらに述べる。その最上部には、樹脂層で被覆された金属ワイヤー（２０）を適切な位置に維持するように完全に設計された溝状部分又はのど状部分を有する直径が９．５ｍｍ乃至１０．２ｍｍの樹脂プーリー（１９）を備える。さらに、直径が９．５ｍｍ乃至１０．２ｍｍの樹脂プーリー（１９）は、放射状に配置された一連の溝によって構成され、設計された用途を意図したものとしてかなり強固な部材に構成されている。さらに、直径が９．５ｍｍ乃至１０．２ｍｍの樹脂プーリー（１９）は、ポリアミド（ＰＡ）からなり、その素材の物理的及び機械的な特性によって、機械システムは非常に技術的な優位を有する。
【００１５】
直径が９．５ｍｍ乃至１０．２ｍｍの樹脂プーリー（１９）は、中央に位置する三角形状面を有するＣ字状部材（２５）にスクリューによって取り付けられており、当該ステッパーの内部の前側には、２個の平行な長方形状体（１）と垂直長方形状体（９）との間に位置するように、溶接によってＬ字状延長材（８）が固定されている。このように配置することにより、一体型垂直ステッパーを使用する際、ペダルの移動と並行に配置されたポール（４）は十分な上昇下降移動とが可能になる。
【００１６】
樹脂層が被覆された金属ワイヤー（２０）の使用についてさらに述べると、ペダルシステム及びこれを左右対称に構成した全ての構成部材は、本考案のために必要である。ペダルシステムは、樹脂ペダル（２２）と、ペダルベース（２３）と、ペダルシステムの全ての構成品を結合するために必要であり、Ｃ字状支持材（２５）に連結された３個のホイール（２４）のセットとを備える。また、ペダルシステムは、２個のＣ字状部材（２５）の後側に配置されたねじ切りされた先端を有する差入体(insert)、そして、各差入体の端部に位置する２個の鋼製結合体（２６）によって、樹脂層で被覆された金属ワイヤー（２０）に接続されている。これら３つの要素ができる限り近接するように調整されて協働し、これら部品が、使用者の体重を支持するする機能を有するペダルシステムを形成する。これにより、樹脂層で被覆された金属ワイヤー（２０）の張力によって、直径が９．５ｍｍ乃至１０．２ｍｍの樹脂プーリー（１９）に一体型垂直ステッパーの機械システムと統合して全ての要素と共に協働するに必要な摩擦をもたらす。
【００１７】
既に前記段落に記載されているが、ペダルシステムの技術的の特徴をより理解するために、次に、平行な長方形状体（１）の各側面においてそのホイール（２４）のそれぞれの適切な配置によって生成される変位作用の重要な部分について述べる。これらホイール（２４）は、二等辺三角形を形成するように配置され、Ｃ字状部材（２５）にスクリューによって固定されている。これにより、ホイール（２４）の各セットが平行な長方形状体（１）を保持でき、結果として、一体型垂直ステッパーのレールとそして機構する平行な長方形状体（１）上において、滑らかで確実性を有した移動が可能となる。
【００１８】
長方形状のペダルベース（２３）は、スクリューによって部材（２５）に接続されて関節をなしており、各側面に位置する２個の樹脂ペダルを支持することができる。他の特徴としては、オペレータの落下又は事故を予防することができることである。これは、樹脂ペダルが模様が浮き上がり滑らかでない素材からなるためであり、一体型垂直ステッパーを適切に配置すると共に滑らかでない素材から製造することで、使用者に信頼性を与える。
【００１９】
さらに、一体型垂直ステッパーは、その各側面に２個の四角形状体（２７）を備える。これらの上面には管状の部材が水平に配置され、２個の保護具（２８）が位置する２個のハンドルのための支持材として使用され、これらを保持する使用者はさらに快適になる。平行なポール（４）に取り付けられた２個の四角形状体（２７）は、伸展が５段階の伸長式機構を有する部材を形成し、一体型垂直ステッパーは、安定した上昇、下降運動を実現するのに理想的な長さと必要とされる高さとなる。
【００２０】
ペダルシステムの主な特徴の一つは、従属したシステムからなることであると指摘できる。具体的には、使用者から作用する力は、装置の機械システム全体に対して逆方向に直接的に比例して作用し、これにより、スクリューによって部材（２５）に取り付けられた２個の四角形状体（２７）に沿った２本の平行なポール（４）を含めて、全ての構成要素及び部品は一様且つ連係して移動するので、全ての要素が垂直方向に一緒に移動し、期待した上昇下降運動が生じ、運動を行う際に、安全性、保持、運動協調性をもたらす。
【００２１】
最後に、純粋に審美的な意図において、一体型垂直ステッパーは、前側面にデジタル時計（３０）が埋め込まれ、平行な長方形状体（１）にラグスクリューによって装置に固定され、固定に必要な孔を備えた樹脂ケース（２９）を備える。
【図１】
0003206889.tif 000003
【図１ａ】
0003206889.tif 000004
【図１ｂ】
0003206889.tif 000005
【図１ｃ】
0003206889.tif 000006
【図２】
0003206889.tif 000007
【図３】
0003206889.tif 000008
【図６】
0003206889.tif 000009
【図７】
0003206889.tif 000010
【図８】
0003206889.tif 000011
【図４】
0003206889.tif 000012
【図５】
0003206889.tif 000013
【手続補正書】
【提出日】平成27年1月9日(2015.1.9)
【手続補正１】
【補正対象書類名】実用新案登録請求の範囲
【補正対象項目名】全文
【補正方法】変更
【補正の内容】
【実用新案登録請求の範囲】
【請求項１】
１２０ｋｇまで支持し、頂部が連結体（２）で互いに連結された２個の平行な長方形状体（１）によって一体化された主垂直構造体と、
垂直長方形状体（９）と、
水平に配置され、当該一体型垂直ステッパーの前側基部を構成し、前記平行な長方形状体（１）の底部に取り付けられた屈曲管体（１８）と、
水平に配置され、当該一体型垂直ステッパーの後側基部を構成し、前記平行な長方形状体（１）の底部に取り付けられた屈曲管体（１１）と、
機械システムと、
ペダルシステムとを備えた一体型垂直ステッパーであって、
当該ステッパーは、
前記垂直長方形状体（９）の前側面に配置され、当該ステッパーの構造の最大限の安全性を確保するために安全装置として機能する仕上げロッド（turned rod）（１５）によって中心を四角形状体（１４）が通過するように取り付けられた、複数の三角形状面を有するＣ字状部材（１３）と、
前記四角形状体（１４）を収容して伸縮式ロッドを形成する四角形状体（１６）と、
前記連結体（２）内に収容され、前記連結体（２）の頂面を介して上昇下降運動する２本の平行なポール（４）を案内する３個のホイール（３）と、
当該ステッパーの各側面にそれぞれ位置し、前記平行なポール（４）に連結され、５段階に伸展する伸縮構造を構成し、当該一体型垂直ステッパーにおいて確実な上昇及び下降を行う際の理想的な長さ及び必要とされる高さを実現する２個の四角形状体（２７）と、
前記四角形状体（２７）の各頂面に水平に配置され、ハンドル支持材として機能する管状部材とを備え、
前記ペダルシステムは、２個のペダルベース（２３）と、前記ペダルベース（２３）上にそれぞれ配置された２個のペダル（２２）と、当該ペダルシステムの全ての構成部材がそれぞれ前記ペダルベース（２３）に固定され、連結するように構成された２個のＣ字状支持体（２５）と、 
レールとして作用する前記平行な長方形状体（１）のそれぞれの側面に対して前記Ｃ字状支持体（２５）上にそれぞれ配置された３個のホイール（２４）からなるセット２組とを備え、
前記機械システムは、直径が９．５ｍｍ乃至１０．２ｍｍであって、樹脂層で被覆された金属ワイヤー（２０）を適正な位置に保持するように放射状に配置された連続する溝を有する溝状部又はのど状部を有し、前記複数の三角形状面を有するＣ字状部材（２１）に固定され、当該ステッパーの前側内方部の中央に位置し、前記２個の平行な長方形状体（１）と前記垂直長方形状体（９）との間に位置し、Ｌ字状延長材（８）に固定された樹脂プーリー（１９）と、
前記Ｃ字状支持材（２５）の後側面に位置し、ねじ切りされた先端を有する２個の差込体と、
前記被覆された金属ワイヤー（２０）の各端部において前記各ペダル（２３）を連結するために前記ねじ切りされた先端を有する差込体の各端部に配置された２個の鋼製連結体（２６）と備え、
これらの要素は、できる限り密接するように調整されて協働し、前記樹脂ペダル（２２）に作用する使用者の体重により、当該一体型垂直ステッパーの前記機械システムを構成する全ての要素と共に前記樹脂プーリ（１９）を動作させるために必要な摩擦を発生させるのに十分な張力が前記被覆された金属ワイヤー（２０）に生じ、
前記機械システムは、前記ペダルシステムと共に従属したシステムを形成し、前記使用者による前記ペダルに作用する力は、当該装置の前記機械システム全体に逆方向且つ直接的に比例した影響を及ぼし、前記Ｃ字状支持材（２５）に取り付けられた前記２個の四角形状体（２７）に沿った前記２本の平行なポール（４）を含み、全ての前記構成要素及び前記部分を一定且つ調和した態様で移動させる一体型垂直ステッパー。
【請求項２】
請求項１に記載の一体型垂直ステッパーであって、
前記四角形状体（１６）の下部面に水平に溶接され、前記平行な長方形状体（１）のそれぞれの端部に接続され、これにより前記四角形状体（１６）を連結し、前記四角形状体（１４）と前記四角形状体（１６）とで伸縮式ロッドを形成して、その水平方向の長さが最大であり、前記複数の三角形状面を有するＣ字状部材に連結されるとき、当該一体型垂直ステッパーが位置すべき正しい位置及び適切な角度に到達し、一方、直立位置における前記四角形状体（１４）と前記四角形状体（１６）とが長さが最短であるとき、当該一体型垂直ステッパーは水平方向に対して９０度となるように折り重なり、その占める面積及び空間が相当程度削減される一体型垂直ステッパー。
【請求項３】
請求項１に記載の一体型垂直ステッパーであって、
ホイール（２４）及びホイール（３）からなる各セットは、ポリアミドからなり、二等辺三角形状に配置されている一体型垂直ステッパー。 
【請求項４】
請求項１に記載の一体型垂直ステッパーであって、
さらに、前記垂直長方形状体（９）の頂部に溶接され、当該小さな管状ロッド内に収容されたオーガ−によって前記Ｌ字状延長材（８）に対して回転可能に取り付けられ、前記Ｌ字状延長材（８）に固定されて回転軸を形成し、これにより前記垂直長方形状体（９）が自由に移動可能であり、前記垂直長方形状体（９）の移動を制限する頂部（１０）によってブロックされる小さい管状ロッドを備え、
これにより、当該一体型垂直ステッパーは垂直方向に対して１５度乃至１６度の角度で傾斜し、適切な姿勢での運動が可能となる一体型垂直ステッパー。
【請求項５】
請求項１に記載の一体型垂直ステッパーであって、
前記屈曲管体（１１）の端部に連結され、任意の面において当該一体型垂直ステッパーを安定化させる複数の樹脂製の水平化部材を備える一体型垂直ステッパー。
【請求項６】
請求項１に記載の一体型垂直ステッパーであって、
前記ハンドル支持部（６），（２７）にそれぞれ配置された保護具（７），（２８）を備える一体型垂直ステッパー。
【請求項７】
請求項１に記載の一体型垂直ステッパーであって、
前記平行な長方形状体（１）に固定され、前側面にデジタル時計を備えたケースを備える一体型垂直ステッパー。 
【請求項８】
請求項１に記載の一体型垂直ステッパーであって、
気候要因に対する変化を減少させる粉状コーティングを有する一体型垂直ステッパー。
【手続補正書】
【提出日】平成28年6月3日(2016.6.3)
【手続補正１】
【補正対象書類名】実用新案登録請求の範囲
【補正対象項目名】請求項１
【補正方法】変更
【補正の内容】
【請求項１】
１２０ｋｇまで支持し、頂部が連結体（２）で互いに連結された２個の平行な長方形状体（１）によって一体化された主垂直構造体と、
垂直長方形状体（９）と、
水平に配置され、当該一体型垂直ステッパーの前側基部を構成し、前記平行な長方形状体（１）の底部に取り付けられた屈曲管体（１８）と、
水平に配置され、当該一体型垂直ステッパーの後側基部を構成し、前記平行な長方形状体（１）の底部に取り付けられた屈曲管体（１１）と、
機械システムと、
ペダルシステムとを備えた一体型垂直ステッパーであって、
当該ステッパーは、
前記垂直長方形状体（９）の前側面に配置され、当該ステッパーの構造の最大限の安全性を確保するために安全装置として機能する仕上げロッド（turned rod）（１５）によって中心を四角形状体（１４）が通過するように取り付けられた、複数の三角形状面を有するＣ字状部材（１３）と、
前記四角形状体（１４）を収容して伸縮式ロッドを形成する四角形状体（１６）と、
前記連結体（２）内に収容され、前記連結体（２）の頂面を介して上昇下降運動する２本の平行なポール（４）を案内する３個のホイール（３）と、
当該ステッパーの各側面にそれぞれ位置し、前記平行なポール（４）に連結され、５段階に伸展する伸縮構造を構成し、当該一体型垂直ステッパーにおいて確実な上昇及び下降を行う際の理想的な長さ及び必要とされる高さを実現する２個の四角形状体（２７）と、
前記四角形状体（２７）の各頂面に水平に配置され、ハンドル支持材として機能する管状部材とを備え、
前記ペダルシステムは、２個のペダルベース（２３）と、前記ペダルベース（２３）上にそれぞれ配置された２個のペダル（２２）と、当該ペダルシステムの全ての構成部材がそれぞれ前記ペダルベース（２３）に固定され、連結するように構成された２個のＣ字状支持体（２５）と、 
レールとして作用する前記平行な長方形状体（１）のそれぞれの側面に対して前記Ｃ字状支持体（２５）上にそれぞれ配置された３個のホイール（２４）からなるセット２組とを備え、
前記機械システムは、直径が９．５ｍｍ乃至１０．２ｍｍであって、樹脂層で被覆された金属ワイヤー（２０）を適正な位置に保持するように放射状に配置された連続する溝を有する溝状部又はのど状部を有し、前記複数の三角形状面を有するＣ字状部材（２１）に固定され、当該ステッパーの前側内方部の中央に位置し、前記２個の平行な長方形状体（１）と前記垂直長方形状体（９）との間に位置し、Ｌ字状延長材（８）に固定された樹脂プーリー（１９）と、
前記Ｃ字状支持材（２５）の後側面に位置し、ねじ切りされた先端を有する２個の差込体と、
前記被覆された金属ワイヤー（２０）の各端部において前記各ペダル（２３）を連結するために前記ねじ切りされた先端を有する差込体の各端部に配置された２個の鋼製連結体（２６）と備え、
前記機械システムの全ての要素は、できる限り密接するように調整されて協働し、前記樹脂ペダル（２２）に作用する使用者の体重により、当該一体型垂直ステッパーの前記機械システムを構成する全ての要素と共に前記樹脂プーリ（１９）を動作させるために必要な摩擦を発生させるのに十分な張力が前記被覆された金属ワイヤー（２０）に生じ、
前記機械システムは、前記ペダルシステムと共に従属したシステムを形成し、前記使用者による前記ペダルに作用する力は、当該一体型垂直ステッパーの前記機械システム全体に逆方向且つ直接的に比例した影響を及ぼし、前記Ｃ字状支持材（２５）に取り付けられた前記２個の四角形状体（２７）に沿った前記２本のポール（４）を含み、前記機械システムの全ての要素を一定且つ調和した態様で移動させる一体型垂直ステッパー。
【手続補正２】
【補正対象書類名】実用新案登録請求の範囲
【補正対象項目名】請求項４
【補正方法】変更
【補正の内容】
【請求項４】
請求項１に記載の一体型垂直ステッパーであって、
さらに、前記垂直長方形状体（９）の頂部に溶接され、内部に収容されたオーガ−によって前記Ｌ字状延長材（８）に対して回転可能に取り付けられ、前記Ｌ字状延長材（８）に固定されて回転軸を形成し、これにより前記垂直長方形状体（９）が自由に移動可能であり、前記垂直長方形状体（９）の移動を制限する頂部（１０）によってブロックされる小さい管状ロッドを備え、
これにより、当該一体型垂直ステッパーは垂直方向に対して１５度乃至１６度の角度で傾斜し、適切な姿勢での運動が可能となる一体型垂直ステッパー。
【手続補正３】
【補正対象書類名】実用新案登録請求の範囲
【補正対象項目名】請求項６
【補正方法】変更
【補正の内容】
【請求項６】
請求項１に記載の一体型垂直ステッパーであって、
前記ハンドル支持部（６）に配置された保護具（７），（２８）を備える一体型垂直ステッパー。
【手続補正書】
【提出日】平成28年8月10日(2016.8.10)
【手続補正１】
【補正対象書類名】実用新案登録請求の範囲
【補正対象項目名】請求項１
【補正方法】変更
【補正の内容】
【請求項１】
１２０ｋｇまで支持し、頂部が連結体（２）で互いに連結された２個の平行な長方形状体（１）によって一体化された主垂直構造体と、
垂直長方形状体（９）と、
水平に配置され、当該一体型垂直ステッパーの前側基部を構成し、前記平行な長方形状体（１）の底部に取り付けられた屈曲管体（１８）と、
水平に配置され、当該一体型垂直ステッパーの後側基部を構成し、前記平行な長方形状体（１）の底部に取り付けられた屈曲管体（１１）と、
機械システムと、
ペダルシステムとを備えた一体型垂直ステッパーであって、
当該ステッパーは、
前記垂直長方形状体（９）の前側面に配置され、当該ステッパーの構造の最大限の安全性を確保するために安全装置として機能する仕上げロッド（turned rod）（１５）によって中心を四角形状体（１４）が通過するように取り付けられた、複数の三角形状面を有するＣ字状部材（１３）と、
前記四角形状体（１４）を収容して伸縮式ロッドを形成する四角形状体（１６）と、
前記連結体（２）内に収容され、前記連結体（２）の頂面を介して上昇下降運動する２本の平行なポール（４）を案内する３個のホイール（３）と、
当該ステッパーの各側面にそれぞれ位置し、前記平行なポール（４）に連結され、５段階に伸展する伸縮構造を構成し、当該一体型垂直ステッパーにおいて確実な上昇及び下降を行う際の理想的な長さ及び必要とされる高さを実現する２個の四角形状体（２７）と、
前記四角形状体（２７）の各頂面に水平に配置され、ハンドル支持部（６）として機能する管状部材とを備え、
前記ペダルシステムは、２個のペダルベース（２３）と、前記ペダルベース（２３）上にそれぞれ配置された２個のペダル（２２）と、当該ペダルシステムの全ての構成部材がそれぞれ前記ペダルベース（２３）に固定され、連結するように構成された２個のＣ字状支持体（２５）と、 
レールとして作用する前記平行な長方形状体（１）のそれぞれの側面に対して前記Ｃ字状支持体（２５）上にそれぞれ配置された３個のホイール（２４）からなるセット２組とを備え、
前記機械システムは、直径が９．５ｍｍ乃至１０．２ｍｍであって、樹脂層で被覆された金属ワイヤー（２０）を適正な位置に保持するように放射状に配置された連続する溝を有する溝状部又はのど状部を有し、複数の三角形状面を有するＣ字状部材（２１）に固定され、当該ステッパーの前側内方部の中央に位置し、前記２個の平行な長方形状体（１）と前記垂直長方形状体（９）との間に位置し、Ｌ字状延長材（８）に固定された樹脂プーリー（１９）と、
前記Ｃ字状支持材（２５）の後側面に位置し、ねじ切りされた先端を有する２個の差込体と、
前記被覆された金属ワイヤー（２０）の各端部において前記各ペダル（２３）を連結するために前記ねじ切りされた先端を有する差込体の各端部に配置された２個の鋼製連結体（２６）と備え、
前記機械システムの全ての要素は、できる限り密接するように調整されて協働し、前記樹脂ペダル（２２）に作用する使用者の体重により、当該一体型垂直ステッパーの前記機械システムを構成する全ての要素と共に前記樹脂プーリ（１９）を動作させるために必要な摩擦を発生させるのに十分な張力が前記被覆された金属ワイヤー（２０）に生じ、
前記機械システムは、前記ペダルシステムと共に従属したシステムを形成し、前記使用者による前記ペダルに作用する力は、当該一体型垂直ステッパーの前記機械システム全体に逆方向且つ直接的に比例した影響を及ぼし、前記Ｃ字状支持材（２５）に取り付けられた前記２個の四角形状体（２７）に沿った前記２本のポール（４）を含み、前記機械システムの全ての要素を一定且つ調和した態様で移動させる一体型垂直ステッパー。